(57)【要約】【課題】施工が容易であるとともに、単純かつ安価な移動式間仕切り構造を提供する。【解決手段】鴨居に取り付けられるレール１と、前記レール１に対して移動することが可能な上側移動部２と敷居に対して移動することが可能な下側移動部３と移動壁４とを有する移動仕切り部５と、鴨居に取り付けられる上側固定部６と、敷居に取り付けられる下側固定部７と、前記上側固定部６と固定されるとともに前記下側固定部７と固定される固定仕切り部８と、を有し、前記移動仕切り部５および前記固定仕切り部８を鴨居と敷居との間に取り付けた状態では、前記移動仕切り部５の移動方向において前記移動仕切り部５と前記固定仕切り部８とが少なくとも部分的に重なっている、一の空間と他の空間とを仕切る移動式間仕切り構造である。【選択図】図２
0003225825.tif 000002
【実用新案登録請求の範囲】
【請求項１】
鴨居に取り付けられるレールと、
前記レールに対して移動することが可能な上側移動部と敷居に対して移動することが可能な下側移動部と移動壁とを有する移動仕切り部と、
鴨居に取り付けられる上側固定部と、
敷居に取り付けられる下側固定部と、
前記上側固定部と固定されるとともに前記下側固定部と固定される固定仕切り部と、
を有し、
前記移動仕切り部および前記固定仕切り部を鴨居と敷居との間に取り付けた状態では、前記移動仕切り部の移動方向において前記移動仕切り部と前記固定仕切り部とが少なくとも部分的に重なっている、
一の空間と他の空間とを仕切る移動式間仕切り構造。
【請求項２】
前記上側移動部は溝であり、
前記レールは前記溝と摺動可能に係合する板状体である、
請求項１に記載の移動式間仕切り構造。
【請求項３】
前記溝は前記移動壁に形成されたものである、
請求項２に記載の移動式間仕切り構造。
【請求項４】
前記移動壁と前記固定仕切り部の上下方向の寸法は同じである、
請求項１から請求項３に記載の移動式間仕切り構造。
【請求項５】
前記移動壁と前記固定仕切り部の左右方向の寸法は同じである、
請求項１から請求項４に記載の移動式間仕切り構造。
【請求項６】
前記レールの材質は樹脂である、
請求項１から請求項５に記載の移動式間仕切り構造。
【請求項７】
前記固定仕切り部は２つあり、一の前記固定仕切り部は前記移動仕切り部より一の空間側に配置され、他の前記固定仕切り部は前記移動仕切り部より他の空間側に配置されている、請求項１から請求項６に記載の移動式間仕切り構造。
【考案の詳細な説明】
【技術分野】
【０００１】
本開示は、鴨居と敷居との間に取り付けられ、空間を仕切る移動式間仕切り構造に関する。          
【背景技術】
【０００２】
移動式間仕切り構造は、各種の形態のものが提案されている。
例えば特許文献１には、大部屋を小部屋に区画したり開放したりといった間取りの変更が簡単にできる移動式間仕切装置として、移動パネルをガイドレールに沿って移動案内して整列させ、所定の位置においてリフト機構により転動輪を浮上させて移動規制させるものが開示されている。
【先行技術文献】
【特許文献】
【０００３】
【特許文献１】特開２０１２−１２８１６号公報
【考案の概要】
【考案が解決しようとする課題】
【０００４】
ところで、リフト機構は、特許文献１に記載のように圧縮コイルばねや支軸をはじめとする様々な部材が必要であり、コストが嵩むという問題があった。
【０００５】
本開示は、上記の事情を背景になされたものであって、その解決課題は、施工が容易であるとともに、単純かつ安価な移動式間仕切り構造を提供することにある。
【課題を解決するための手段】
【０００６】
本開示の移動式間仕切り構造は、鴨居に取り付けられるレールと、前記レールに対して移動することが可能な上側移動部と敷居に対して移動することが可能な下側移動部と移動壁とを有する移動仕切り部と、鴨居に取り付けられる上側固定部と、敷居に取り付けられる下側固定部と、前記上側固定部と固定されるとともに前記下側固定部と固定される固定仕切り部と、を有し、前記移動仕切り部および前記固定仕切り部を鴨居と敷居との間に取り付けた状態では、前記移動仕切り部の移動方向において前記移動仕切り部と前記固定仕切り部とが少なくとも部分的に重なっている、一の空間と他の空間とを仕切る移動式間仕切り構造である。
【考案の効果】
【０００７】
本開示によれば、移動式間仕切り構造を、単純な構造で安価に施工することができる。
【図面の簡単な説明】
【０００８】
【図１】図１は、本開示の実施形態に係る移動式間仕切り構造の斜視図である。
【図２】図２は、図１に示す移動式間仕切り構造の側面方向の断面図である。
【図３】図３は、図１に示す移動式間仕切り構造の正面図である。
【図４】図４は、図１に示す移動式間仕切り構造の平面方向の断面図である。
【考案を実施するための形態】
【０００９】
＜本開示の実施形態の説明＞
本開示の移動式間仕切り構造は、
（１）鴨居に取り付けられるレールと、前記レールに対して移動することが可能な上側移動部と敷居に対して移動することが可能な下側移動部と移動壁とを有する移動仕切り部と、鴨居に取り付けられる上側固定部と、
敷居に取り付けられる下側固定部と、前記上側固定部と固定されるとともに前記下側固定部と固定される固定仕切り部と、を有し、前記移動仕切り部および前記固定仕切り部を鴨居と敷居との間に取り付けた状態では、前記移動仕切り部の移動方向において前記移動仕切り部と前記固定仕切り部とが少なくとも部分的に重なっている、一の空間と他の空間とを仕切る移動式間仕切り構造である。
【００１０】
本開示の移動式間仕切り構造によれば、移動仕切り部としては、鴨居にレールを設け、移動壁には鴨居および敷居のそれぞれに対して移動可能な上側移動部と下側移動部を設けるだけの簡素な構造となっている。固定仕切り部としては、鴨居および敷居のそれぞれに固定仕切り部を固定する上側固定部および下側固定部を設けるだけの簡素な構造となっている。
【００１１】
移動仕切り部および前記固定仕切り部を鴨居と敷居との間に取り付けた状態では、移動仕切り部の移動方向において移動仕切り部と固定仕切り部とが少なくとも部分的に重なっている。万が一、移動仕切り部が配置された方の空間の側から移動仕切り部が荷重を受けた際には、その重なった部分において、鴨居および敷居に固定された固定仕切り部によって移動仕切り部が支えられるため、簡素な構造で移動仕切り部を鴨居および敷居から外れにくくすることができる。
【００１２】
（２）前記上側移動部は溝であり、前記レールは前記溝と摺動可能に係合する板状体であることが好ましい。これにより、溝と板状体を摺動させるという簡素な構造で移動仕切り部の上側を構成することができる。
【００１３】
（３）前記溝は前記移動壁に形成されたものであることが好ましい。これにより、別部材を取り付ける等によることなく移動壁に溝を形成する加工をするという簡素な構造で移動仕切り部の上側を構成することができる。
【００１４】
（４）前記移動壁と前記固定仕切り部の上下方向の寸法は同じであることが好ましい。これにより、移動式間仕切りを配置する空間に移動壁と固定仕切り部を配置する前の工程において移動壁と固定仕切り部を準備することを簡易にすることができる。
【００１５】
（５）前記移動壁と前記固定仕切り部の左右方向の寸法は同じであることが好ましい。これにより、移動式間仕切りを配置する空間に移動壁と固定仕切り部を配置する前の工程において移動壁と固定仕切り部を準備することを簡易にすることができる。
【００１６】
（６）前記レールの材質は樹脂であることが好ましい。樹脂は一般的に金属等と比べて加工が容易なので、移動式間仕切りを配置する工程における鴨居へのレールの取り付けと、その前の工程においても、レールを準備することを簡易にすることができる。
【００１７】
（７）前記固定仕切り部は２つあり、一の前記固定仕切り部は前記移動仕切り部より一の空間側に配置され、他の前記固定仕切り部は前記移動仕切り部より他の空間側に配置されていることが好ましい。これにより、移動仕切り部および前記固定仕切り部を鴨居と敷居との間に取り付けた状態では、万が一、移動仕切り部が荷重を受けた際には、その荷重がどちらの空間の側からのものであっても、鴨居および敷居に固定された固定仕切り部によって移動仕切り部が支えられ、簡素な構造で移動仕切り部を鴨居および敷居から、より外れにくくすることができる。
【００１８】
＜本開示の実施形態の詳細＞
本開示の移動式間仕切り構造の具体例を、以下に図面を参照しつつ説明する。なお本開示は、この例示に限定されるものではなく、実用新案登録請求の範囲によって示され、実用新案登録請求の範囲と均等の意味および範囲内でのすべての変更が含まれることが意図される。
【００１９】
＜実施形態１＞
以下、本開示の実施形態について、図１から図４を参照しつつ説明する。移動式間仕切り構造は、鴨居に取り付けられるレール１と、前記レール１に対して移動することが可能な上側移動部２と敷居に対して移動することが可能な下側移動部３と移動壁４とを有する移動仕切り部５と、鴨居に取り付けられる上側固定部６と、敷居に取り付けられる下側固定部７と、前記上側固定部６および前記下側固定部７と固定される固定仕切り部８と、を含んで構成されている。以下の説明において、上方とは、図３中の上方、下方とは、図３中の下方を言い、移動仕切り部５の移動方向とは、図３中の左右方向を言うものとする。
【００２０】
＜レール１＞
レール１は、塩化ビニル（ＰＶＣ）等の合成樹脂を押出成形等で形成したものや、ステンレス等の金属をプレス成形等で形成したもので、断面Ｌ字状の板状体１１である。このレール１は、図示しないネジや釘、粘着テープ等により、鴨居の溝に固定されている。
【００２１】
＜上側移動部２＞
上側移動部２は、図２に示すように、溝２１で構成され、後述の移動壁４の上部に配置されている。溝２１の深さは、レール１と係合する長さと同じか、もしくは溝２１と係合する長さより深く形成されている。移動壁の寸法の製造ばらつきや間仕切りを配置する部位のゆがみや経年劣化などにも対応できるようになっている。
【００２２】
上側移動部２は、レール１と摺動することで左右方向には移動可能である一方、図３の紙面奥行き方向にはレール１と係合することによってレール１に対して容易に移動できないようになっている。
【００２３】
＜下側移動部３＞
下側移動部３は、図２に示すように、後述の移動壁４の下部に配置されている。下側移動部３の底部の幅は、敷居の溝の幅と同じか、もしくは敷居の溝の幅より狭くなされている。
【００２４】
下側移動部３の底部は、敷居の溝と摺動することで左右方向には移動可能である一方、図３の紙面奥行き方向には敷居の溝と係合することで敷居の溝に対して容易に移動できないようになっている。
【００２５】
＜移動壁４＞
移動壁４は、少なくとも外枠の部分は木質材料や樹脂などにより構成されている。外枠に貼り付けられる面の部分は木質材料や樹脂、樹脂を含侵させたパルプを主とする板やシートで構成されており、金属材料や無垢の木材で構成される壁状の部材に比べて軽量であり、襖や障子に比べて耐久性がある。移動壁４の上部には前述の溝２１が、外枠を削ることにより、または外枠に別部材を取り付けることにより形成されている。
＜移動仕切り部５＞
【００２６】
移動仕切り部５は、前述の上側移動部２と下側移動部３と移動壁４を含んで構成されている。
＜上側固定部６および下側固定部７＞
【００２７】
上側固定部６および下側固定部７は、Ｌ字状の金属製であって、鴨居および敷居に対して、図示しないネジや釘で固定されている。
＜固定仕切り部８＞
【００２８】
固定仕切り部８は、その上部が上側固定部６に対して、その下部が下側固定部７に対して、図示しないネジや釘で固定される。これにより、固定仕切り部８は、鴨居および敷居に対して、左右方向にも、図３の紙面奥行き方向にも固定されている。
【００２９】
固定仕切り部８と移動仕切り部５とは、鴨居と敷居の間にこれらを取り付けた状態で、左右方向において少なくとも部分的に重なるような寸法とされている。
【００３０】
固定仕切り部８は、図４に示すように、その上下方向の寸法は、移動壁４の上下方向の寸法と同じとされており、その左右方向の寸法は、移動壁４の左右方向の寸法と同じとされている。移動間仕切り構造を配置する前の、固定仕切り部８と移動壁４を準備する工程において、同じ種類の部材を元に加工を施す等により固定仕切り部８と移動壁４としている。
【００３１】
移動仕切り部５は、図４に示すように、左右方向と直交する方向において一の固定仕切り部８と他の固定仕切り部８により挟まれた状体で配置されている。
【００３２】
以上、図面を参照して本発明の実施の形態を説明したが、本開示は、図示した実施の形態のものに限定されない。図示した実施の形態に対して、本開示と同一の範囲内において、あるいは均等の範囲内において、種々の修正や変形を加えることが可能である。
【符号の説明】
【００３３】
１    レール
１１  板状体
２    上側移動部
２１  溝
３    下側移動部
４    移動壁
５    移動仕切り部
６    上側固定部
７    下側固定部
８    固定仕切り部
【図１】
0003225825.tif 000003
【図２】
0003225825.tif 000004
【図３】
0003225825.tif 000005
【図４】
0003225825.tif 000006